(57)【要約】【課題】機器の運転を制御する運転スケジュールの設定作業を短時間で行うことができるスケジュール制御装置を提供する。【解決手段】スケジュール制御装置１０は、施設の階層構造に従って全てのＶＡＶ１５をグループ化したグループ情報を記憶するグループ情報記憶部２２と、グループ情報に基づいてグループごとに運転スケジュールを記憶するグループスケジュール記憶部２３と、グループ情報に基づいて対象機器となるＶＡＶ１５が属するグループを特定し、グループスケジュール記憶部２３に記憶された運転スケジュールに基づいて、特定したグループの運転スケジュールを作成するスケジュール作成部２４と、作成された運転スケジュールをグループ優先方式に従って各階層の運転スケジュールと順に合成して、合成スケジュールを作成する合成スケジュール作成部３４と、合成スケジュールに従ってＶＡＶ１５の運転を制御する合成スケジュール実行部３７とを備える。【選択図】図２
2020176795.tif 000002
【特許請求の範囲】
【請求項１】
施設内に設けられた機器の運転を、カレンダの日付ごとに設定された運転スケジュールに従って制御するスケジュール制御装置であって、
前記施設の階層構造に従って、全ての機器をグループ化したグループ情報を記憶するグループ情報記憶部と、
前記グループ情報記憶部に記憶されたグループ情報に基づいて、機器のグループごとに運転スケジュールを記憶するグループスケジュール記憶部と、
前記グループ情報記憶部に記憶されたグループ情報に基づいて、対象機器となる機器が属するグループを特定し、前記グループスケジュール記憶部に記憶された運転スケジュールに基づいて、その特定したグループに対応する運転スケジュールを作成するスケジュール作成部と、
前記スケジュール作成部によって作成された運転スケジュールを、グループ優先方式に従って、各階層の運転スケジュールと順に合成して、合成スケジュールを作成する合成スケジュール作成部と、
前記合成スケジュール作成部によって作成された合成スケジュールに従って、前記機器の運転を制御する合成スケジュール実行部とを備える
ことを特徴とするスケジュール制御装置。
【請求項２】
前記合成スケジュール作成部は、
施設全体の運転スケジュールが階層上位の運転スケジュールを優先した上位グループ優先方式となる場合に、各階層の運転スケジュールを、階層上位の運転スケジュールを優先しながら合成する
ことを特徴とする請求項１記載のスケジュール制御装置。
【請求項３】
前記合成スケジュール作成部は、
施設全体の運転スケジュールが階層下位の運転スケジュールを優先した下位グループ優先方式となる場合に、各階層の運転スケジュールを、階層下位の運転スケジュールを優先しながら合成する
ことを特徴とする請求項１記載のスケジュール制御装置。
【請求項４】
施設内に設けられた機器の運転を、カレンダの日付ごとに設定された運転スケジュールに従って制御するスケジュール制御方法であって、
グループ情報記憶部が、前記施設の階層構造に従って、全ての機器をグループ化したグループ情報を記憶し、
グループスケジュール記憶部が、前記グループ情報記憶部に記憶されたグループ情報に基づいて、機器のグループごとに運転スケジュールを記憶し、
スケジュール作成部が、前記グループ情報記憶部に記憶されたグループ情報に基づいて、対象機器となる機器が属するグループを特定し、前記グループスケジュール記憶部に記憶された運転スケジュールに基づいて、その特定したグループに対応する運転スケジュールを作成し、
合成スケジュール作成部が、前記スケジュール作成部によって作成された運転スケジュールを、グループ優先方式に従って、各階層の運転スケジュールと順に合成して、合成スケジュールを作成し、
合成スケジュール実行部が、前記合成スケジュール作成部によって作成された合成スケジュールに従って、前記機器の運転を制御する
ことを特徴とするスケジュール制御方法。
【発明の詳細な説明】
【技術分野】
【０００１】
この発明は、施設内に設けられた各種機器の運転を制御するための運転スケジュールを設定するスケジュール制御装置及びスケジュール制御方法に関する。
【背景技術】
【０００２】
施設内に設けられた各種機器の運転を制御する施設監視システムは、当該各種機器を、予め設定された運転スケジュールに従って制御する。このような、対象機器に対するスケジュール制御は、例えば、カレンダ機能とタイムプログラム機能とによって構成されている。
【０００３】
カレンダ機能は、各曜日及び休日に関するカレンダ情報を設定する機能である。タイムプログラム機能は、日曜日から土曜日までの各曜日の運転スケジュールから構成される週間スケジュール、優先順位が付いた複数の運転スケジュールから構成される優先スケジュール、及び、タイムプログラムの対象となる機器を設定する機能である。
【０００４】
施設監視システムは、上述した、カレンダ情報、週間スケジュール、及び、優先スケジュールを組み合わせることにより、対象機器の運転スケジュールを生成し、当該対象機器を制御するコントローラに展開する。このような、従来の施設監視システムとしては、例えば、特許文献１に開示されている。
【先行技術文献】
【特許文献】
【０００５】
【特許文献１】特開２０１２−１３３６３５号公報
【発明の概要】
【発明が解決しようとする課題】
【０００６】
実際の施設運用に合わせて、対象機器をスケジュール制御する場合には、エンジニアは、プログラム間の連携または連動を考慮したシステム設計を行い、１つ目のプログラムから順に、時間、操作、及び、対象機器を設定する。このようなスケジュール制御の設定は、施設管理者が行うこともできるが、施主または施設管理者と、エンジニアとが打ち合わせを行い、当該エンジニアが行うことが多い。
【０００７】
スケジュール制御の設定は、竣工後しばらくの間においては、そのままの設定状態で良いが、年月が経ち、テナントが入れ替わった場合には、当該テナントの使用状況が変わってしまう。このため、エンジニアは、スケジュール制御の設定を再調整する必要がある。
【０００８】
また、近年の施設監視システムでは、オープン通信化が進み、殆どの現場で、ＢＡＣｎｅｔ通信が利用されており、様々なベンダーが接続可能となっている。このＢＡＣｎｅｔ通信を利用した施設監視システムは、特許文献１に開示されたものとは、スケジュール制御の構成が異なっており、優先度の低い運転スケジュールを、優先度の高い運転スケジュールで上書きすることができる。
【０００９】
このため、ＢＡＣｎｅｔ通信を利用した施設監視システムは、特許文献１に開示されたものに比べて、スケジュール制御が高精度で、且つ、運転スケジュールの設定自由度が高く、当該運転スケジュールを施設運用に合わせたきめ細かいものとする反面、エンジニアの作業負担が大きくなる。従って、ＢＡＣｎｅｔ通信を利用した施設監視システムは、小規模ビル等の施設に対して、スケジュール制御を設定する場合に、施設の規模に反して、システム設計に費やす時間が増大するという問題を有している。
【００１０】
この発明は、上記のような課題を解決するためになされたもので、機器の運転を制御する運転スケジュールの設定作業を短時間で行うことができるスケジュール制御装置を提供することを目的とする。
【課題を解決するための手段】
【００１１】
この発明に係るスケジュール制御装置は、施設内に設けられた機器の運転を、カレンダの日付ごとに設定された運転スケジュールに従って制御するスケジュール制御装置であって、施設の階層構造に従って、全ての機器をグループ化したグループ情報を記憶するグループ情報記憶部と、グループ情報記憶部に記憶されたグループ情報に基づいて、機器のグループごとに運転スケジュールを記憶するグループスケジュール記憶部と、グループ情報記憶部に記憶されたグループ情報に基づいて、対象機器となる機器が属するグループを特定し、グループスケジュール記憶部に記憶された運転スケジュールに基づいて、その特定したグループに対応する運転スケジュールを作成するスケジュール作成部と、スケジュール作成部によって作成された運転スケジュールを、グループ優先方式に従って、各階層の運転スケジュールと順に合成して、合成スケジュールを作成する合成スケジュール作成部と、合成スケジュール作成部によって作成された合成スケジュールに従って、機器の運転を制御する合成スケジュール実行部とを備えるものである。
【発明の効果】
【００１２】
この発明によれば、機器の運転を制御する運転スケジュールの設定作業を短時間で行うことができる。
【図面の簡単な説明】
【００１３】
【図１】実施の形態１に係るスケジュール制御装置を備えた施設監視システムの構成を示した図である。
【図２】実施の形態１に係るスケジュール制御装置の構成を示したブロック図である。
【図３】管理対象施設の施工時におけるＶＡＶに関する情報を示した図である。図３ＡはＶＡＶタイプ情報を示した図である。図３ＢはＶＡＶポイント情報を示した図である。図３ＣはＶＡＶの通信アドレス、タイプ設定を示した図である。
【図４】管理対象施設の施工時における階層構造に基づいたＶＡＶのグループ情報を示した図である。
【図５】管理対象施設へのテナント入居時における部屋の間仕切りを示した図である。図５Ａはテナントのフロア平面図である。図５Ｂはテナント名、部屋名、及び、用途を一覧で示した図である。
【図６】管理対象施設へのテナント入居時におけるテナント名、部屋名、用途、及び、ＶＡＶ名の関連付けを一覧で示した図である。
【図７】管理対象施設へのテナント入居時における階層構造に基づいたＶＡＶのグループ情報を示した図である。
【図８】グループ、カレンダ、優先スケジュール、及び、週間スケジュールの関連付けを示した図である。
【図９】スケジュール作成部によるグループスケジュールから対象機器スケジュールを作成する動作を示した図である。
【図１０】上位グループ優先方式のスケジュール設定を示した図である。
【図１１】上位グループ優先方式のスケジュール設定において合成スケジュールを作成する動作を示した図である。
【図１２】下位グループ優先方式のスケジュール設定を示した図である。
【図１３】下位グループ優先方式のスケジュール設定において合成スケジュールを作成する動作を示した図である。
【発明を実施するための形態】
【００１４】
以下、この発明の実施の形態について図面を参照しながら詳細に説明する。
【００１５】
実施の形態１．
先ず、実施の形態１に係るスケジュール制御装置１０を備えた施設監視システムについて、図１を用いて説明する。図１は、実施の形態１に係るスケジュール制御装置１０を備えた施設監視システムの構成を示した図である。
【００１６】
実施の形態１に係る施設監視システムは、後述するスケジュール制御装置１０、施設監視装置１１、統合コントローラ１２、空調コントローラ１３、ＶＡＶコントローラ１４、及び、ＶＡＶ１５を備えている。
【００１７】
施設監視装置１１、統合コントローラ１２、空調コントローラ１３、ＶＡＶコントローラ１４、及び、ＶＡＶ１５は、ネットワークを介して接続されている。また、各空調コントローラ１３は、複数の空調系統を有しており、１つの空調系統には、複数のＶＡＶコントローラ１４が設けられている。ＶＡＶ１５は、各ＶＡＶコントローラ１４に対して、１つずつ接続されている。
【００１８】
施設監視装置１１は、統合コントローラ１２、空調コントローラ１３、及び、ＶＡＶコントローラ１４を介して、ＶＡＶ１５を一括して、監視及び制御する中央監視装置に相当するものである。ＶＡＶ１５は、施設内に配置された空調設備に設けられており、施設監視装置１１の監視ポイントとして設定されている。
【００１９】
施設監視装置１１は、例えば、ＰＣ（Personal Computer）を想定しており、マウス及びキーボード等の操作入力部、及び、ディスプレイ等の表示部を有している。施設を管理する施設管理者は、表示部に表示された画面を見ながら、操作入力部を操作することにより、施設監視システム内への各種情報の入力、ＶＡＶ１５の運転状態の確認、及び、ＶＡＶ１５に対する動作指示等を行うことができる。
【００２０】
具体的には、施設監視装置１１は、ＶＡＶコントローラ１４が収集したＶＡＶ１５の運転状態に関する運転状態情報を、統合コントローラ１２及び空調コントローラ１３を介して、一定周期で取得する。更に、施設監視装置１１は、その取得した運転状態情報に基づいて、統合コントローラ１２及び空調コントローラ１３を介して、ＶＡＶ１５に対する動作指示を行う。
【００２１】
次に、実施の形態１に係るスケジュール制御装置１０について、図２から図１３を用いて説明する。
【００２２】
図２は、実施の形態１に係るスケジュール制御装置１０の構成を示したブロック図である。実施の形態１に係るスケジュール制御装置１０は、統合コントローラ１２と空調コントローラ１３とに分散して設けられている。
【００２３】
統合コントローラ１２は、スケジュール制御装置１０の構成のうち、ＵＩ部２１、グループ情報記憶部２２、グループスケジュール記憶部２３、スケジュール作成部２４、システム構成記憶部２５、対象機器スケジュール記憶部２６、スケジュール展開部２７、及び、空調コントローラ通信部２８を備えている。
【００２４】
ＵＩ部２１は、施設監視装置１１の操作入力及び表示部を使用して入力された各種情報を受け付ける。
【００２５】
グループ情報記憶部２２は、管理対象施設の施工時及び管理対象施設へのテナント入居時において入力された各種情報を記憶する。
【００２６】
ここで、管理対象施設の施工時におけるグループ情報記憶部２２への各種情報の設定について、図３及び図４を用いて説明する。図３Ａは、ＶＡＶタイプ情報を示した図である。図３Ｂは、ＶＡＶポイント情報を示した図である。図３Ｃは、ＶＡＶの通信アドレス、タイプ設定を示した図である。図４は、管理対象施設の施工時における階層構造に基づいたＶＡＶのグループ情報を示した図である。
【００２７】
図３Ａに示したＶＡＶタイプ情報、及び、図３Ｂに示したＶＡＶポイント情報（機器ポイント情報）は、グループ情報記憶部２２に設定されている。
【００２８】
ＶＡＶタイプ情報は、ＶＡＶ１５のタイプ（動作方式）に関する情報である。ＶＡＶタイプ情報としては、例えば、「セットバック無」となるタイプ５０１と、「セットバック有」となるタイプ５０２との２種類がある。ＶＡＶポイント情報は、ＶＡＶタイプ、オブジェクト識別子（操作対象）、オブジェクト名称（操作内容）、及び、表示単位（操作結果）を関連付けた情報である。
【００２９】
施工・調整エンジニアは、図３Ｃに示すように、各ＶＡＶ１５に対して、通信アドレス、機器名となるＶＡＶ名、及び、ＶＡＶタイプを設定する。
【００３０】
そして、施工・調整エンジニアは、図４に示した、施工時におけるＶＡＶ１５のグループ情報を、グループ情報記憶部２２に設定する。このグループ情報は、ビル等の施設、フロア、設備系統となる空調系統、及び、ＶＡＶ名から構成された階層構造に従って、全てのＶＡＶ１５をグループ化したときの情報である。このグループ情報では、階層上位から階層下位に向けて順に、施設、フロア、空調系統、及び、ＶＡＶ名の４つの階層によって、全てのＶＡＶ１５を複数のグループに分けている。
【００３１】
また、管理対象施設へのテナント入居時におけるグループ情報記憶部２２への各種情報の設定について、図５から図７を用いて説明する。図５Ａは、テナントのフロア平面図である。図５Ｂは、テナント名、部屋名、及び、用途を一覧で示した図である。図６は、管理対象施設へのテナント入居時におけるテナント名、部屋名、用途、及び、ＶＡＶ名の関連付けを一覧で示した図である。図７は、管理対象施設へのテナント入居時における階層構造に基づいたＶＡＶのグループ情報を示した図である。
【００３２】
先ず、施設管理者は、テナント利用者から、図５Ａに示したテナントのフロア平面図、及び、図５Ｂに示したテナントの部屋名を入手する。図５Ａに示したテナントのフロア平面図は、部屋が間仕切られた状態のフロア平面図である。
【００３３】
次いで、施設管理者は、入手したテナントのフロア平面図から、各部屋の位置と各ＶＡＶ１５の位置とを確認し、図６及び図７に示すように、テナント名、部屋名、用途、及び、ＶＡＶ名を関連付ける。
【００３４】
そして、施設管理者は、図６及び図７に示した、テナント入居時におけるＶＡＶ１５のグループ情報をグループ情報記憶部２２に設定する。このグループ情報は、ビル等の施設、フロア、テナント名、及び、部屋名から構成された階層構造に従って、全てのＶＡＶ１５をグループ化したときの情報である。このグループ情報では、階層上位から階層下位に向けて順に、施設、フロア、テナント名、及び、部屋名の４つの階層によって、全てのＶＡＶ１５を複数のグループに分けている。
【００３５】
グループスケジュール記憶部２３は、グループ情報記憶部２２に記憶されたテナント入居時におけるＶＡＶ１５のグループ情報に基づいて、グループごと（○○ビル、１階、５階、○○株式会社、エントランス、会議室Ａごと）に、施設運用に応じたカレンダ、優先スケジュール、及び、週間スケジュールを、予め記憶する。このグループスケジュール記憶部２３は、カレンダ記憶部２３ａ、優先スケジュール記憶部２３ｂ、及び、週間スケジュール記憶部２３ｃを有している。
【００３６】
カレンダ記憶部２３ａは、グループごとに、カレンダを記憶する。カレンダは、日付ごとに、ＶＡＶ１５の運転スケジュールが設定されている。カレンダ記憶部２３ａは、例えば、図８に示したカレンダを記憶する。図８に示したカレンダは、日にちを、平日、平日の定時退社日、及び、休日に分けている。なお、運転スケジュールとは、例えば、ＶＡＶ１５の操作内容と、その操作の指令を出す時刻とを含むものである。
【００３７】
優先スケジュール記憶部２３ｂは、グループごとに、優先順位が付いた複数の運転スケジュールから構成される優先スケジュールを記憶する。この優先スケジュール記憶部２３ｂは、例えば、図８に示した優先スケジュールを記憶する。図８に示した優先スケジュールは、休日の運転スケジュール、平日の定時退社日の運転スケジュール、及び、平日の運転スケジュール（図示省略）の順で、優先順位を付けて記憶する。
【００３８】
週間スケジュール記憶部２３ｃは、グループごとに、１週間分の各曜日に対応した運転スケジュールから構成される週間スケジュールを記憶する。この週間スケジュール記憶部２３ｃは、例えば、図８に示した週間スケジュールを記憶する。図８に示した週間スケジュールは、月曜日から金曜日までの各運転スケジュールを、平日の運転スケジュールとし、土、日曜日の各運転スケジュールを、休日の運転スケジュールとしている。
【００３９】
なお、図８に示した運転スケジュールにおいては、斜線で示した時間帯を、ＶＡＶ１５を運転させる時間帯とし、ドットで示した時間帯を、ＶＡＶ１５の運転を停止させる時間帯とし、空白となる時間帯を、ＶＡＶ１５の運転を制御しない時間帯としている。
【００４０】
スケジュール作成部２４は、施設運用の変更に応じて、ＶＡＶ１５の運転スケジュールを、新たな運転スケジュールとして作成するものである。このスケジュール作成部２４は、グループ情報記憶部２２に記憶されたテナント入居時におけるＶＡＶ１５のグループ情報に基づいて、対象機器となるＶＡＶ１５（例えば、ＶＡＶ−５−４−５）が属するグループ（会議室Ａ）と、その上位にあるグループ（○○株式会社、５階、○○ビル）を特定する。次いで、スケジュール作成部２４は、その特定した各グループに対応したカレンダを、カレンダ記憶部２３ａに記憶されている複数のカレンダの中から抽出する。また、スケジュール作成部２４は、その特定した各グループに対応した優先スケジュールを、優先スケジュール記憶部２３ｂに記憶されている複数の優先スケジュールの中から抽出する。更に、スケジュール作成部２４は、その特定した各グループに対応した週間スケジュールを、週間スケジュール記憶部２３ｃに記憶されている複数の週間スケジュールの中から抽出する。そして、スケジュール作成部２４は、抽出したカレンダ、優先スケジュール、及び、週間スケジュールに基づいて、特定した各クループごとに、新たな運転スケジュールを作成する。
【００４１】
システム構成記憶部２５は、空調コントローラ１３の構成情報及びポイント情報、及び、ＶＡＶコントローラ１４の構成情報、タイプ情報、及び、ポイント情報を、予め記憶する。
【００４２】
対象機器スケジュール記憶部２６は、優先スケジュール記憶部２６ａを有している。優先スケジュール記憶部２６ａは、スケジュール作成部２４によって作成された運転スケジュールを、優先スケジュールとして記憶する。
【００４３】
スケジュール展開部２７は、スケジュール作成部２４によって特定されたグループに対応した空調コントローラ１３のアドレス情報を、システム構成記憶部２５から取得する。
【００４４】
空調コントローラ通信部２８は、スケジュール展開部２７が取得した優先スケジュールを、当該スケジュール展開部２７が指定するアドレスの空調コントローラ１３に向けて送信する。
【００４５】
ここで、スケジュール作成部２４の具体的な動作について、図９を用いて説明する。図９は、スケジュール作成部２４によるグループスケジュールから対象機器スケジュールを作成する動作を示した図である。
【００４６】
なお、図９では、スケジュール作成部２４が作成する運転スケジュールを、本日の運転スケジュールと、その翌日の運転スケジュールとしている。この翌日の運転スケジュールを作成する理由としては、それらの運転スケジュールを、統合コントローラ１２から空調コントローラ１３に送信するようにしており、例えば、統合コントローラ１２が故障した場合、または、統合コントローラ１２と空調コントローラ１３との間で通信障害が発生した場合に、空調コントローラ１３のみで、翌日まで、ＶＡＶ１５のスケジュール制御を可能とするためである。このような手法は、特に、ビル管理を対象とする施設管理システムでは有効であり、翌日の運転スケジュールを作成するだけでなく、一週間後までの運転スケジュールを作成しても構わない。
【００４７】
また、図９では、対象機器となるＶＡＶ１５（ＶＡＶ−５−４−５）が属するグループを、会議室Ａとし、その上位にあるグループを、○○株式会社、５階、○○ビルとしている。更に、図９に示した運転スケジュールにおいては、斜線で示した時間帯を、ＶＡＶ１５を運転させる時間帯とし、ドットで示した時間帯を、ＶＡＶ１５の運転を停止させる時間帯とし、空白となる時間帯を、ＶＡＶ１５の運転を制御しない時間帯としている。
【００４８】
スケジュール作成部２４は、施設運用の変更に伴って、各グループの運転スケジュールを変更する場合に、その変更が必要となる各グループについて、当該グループに対応するカレンダ、優先スケジュール、及び、週間スケジュールから、本日（例えば、○月１日）の運転スケジュールをそれぞれ作成する。この作成された運転スケジュールは、対象機器となるＶＡＶ１５が属する最上位グループから最下位グループまでの運転スケジュールである。続いて、スケジュール作成部２４は、それぞれ作成した運転スケジュールを、対象機器スケジュール記憶部２６の優先スケジュール記憶部２６ａに、優先スケジュールとして順に記憶させる。
【００４９】
また、スケジュール作成部２４は、翌日（例えば、○月２日）のシステム指定時刻（例えば、００：００）になった場合に、全てのグループについて、当該グループに対応するカレンダ、優先スケジュール、及び、週間スケジュールから、本日（○月２日）及び翌日（○月３日）の運転スケジュールを作成する。続いて、スケジュール作成部２４は、対象機器スケジュール記憶部２６の優先スケジュール記憶部２６ａに、対象機器となるＶＡＶ１５が属する最上位グループから最下位グループまでの運転スケジュールを、優先スケジュールとして順に記憶させる。
【００５０】
更に、スケジュール作成部２４は、対象機器となるＶＡＶ１５が、他の最下位グループに重複して属している場合には、当該他の最下位グループの運転スケジュールについても、優先スケジュール記憶部２６ａに優先スケジュールとして記憶させる。
【００５１】
なお、図９に示したグループスケジュール記憶部２３の各階層ごとに設定された上下２段の運転スケジュールでは、上段の運転スケジュールを本日の運転スケジュールとし、下段の運転スケジュールを翌日の運転スケジュールとしている。
【００５２】
一方、図９に示した対象機器スケジュール記憶部２６の優先スケジュール記憶部２６ａでは、当日の運転スケジュールをＮｏ．１〜７に割り当て、翌日の運転スケジュールをＮｏ．８〜１４に割り当てている。このとき、対象機器となるＶＡＶ１５が他の最下位グループに重複して属している場合の運転スケジュールは、例えば、ＮＯ．５〜７,１２〜１４に割り当てられる。
【００５３】
また、空調コントローラ１３は、スケジュール制御装置１０の構成のうち、統合コントローラ通信部３１、ポイント情報記憶部３２、対象機器スケジュール記憶部３３、合成スケジュール作成部３４、合成スケジュール記憶部３５、システム構成記憶部３６、合成スケジュール実行部３７、及び、ＶＡＶコントローラ通信部３８を備えている。
【００５４】
統合コントローラ通信部３１は、空調コントローラ通信部２８から送信された優先スケジュールを受け付ける。
【００５５】
ポイント情報記憶部３２は、空調コントローラ１３が備える空調系統に属するＶＡＶ１５のＶＡＶタイプ情報（図３Ａ）、ＶＡＶポイント情報（図３Ｂ）、ＶＡＶの通信アドレス、タイプ設定（図３Ｃ）を、予め記憶する。
【００５６】
対象機器スケジュール記憶部３３は、優先スケジュール記憶部３３ａを有している。優先スケジュール記憶部３３ａは、統合コントローラ通信部３１が受け取った優先スケジュールを記憶する。
【００５７】
合成スケジュール作成部３４は、優先スケジュール記憶部３３ａに記憶されている優先スケジュールの中から、本日または翌日に対応したＶＡＶ１５の運転スケジュールを取得する。
【００５８】
そして、合成スケジュール作成部３４は、対象機器となるＶＡＶ１５が属するグループの上記運転スケジュールを、施設運用に応じたグループ優先方式に従って、各階層の運転スケジュールと順に合成して、合成スケジュールを作成する。
【００５９】
施設全体の運転スケジュールが階層上位の運転スケジュールを優先した上位グループ優先方式になっている場合には、合成スケジュール作成部３４は、各階層の運転スケジュールを、階層上位の運転スケジュールを優先しながら合成していき、最終的に合成した合成スケジュールを、対象機器となるＶＡＶ１５が属するグループの運転スケジュールとする。
【００６０】
また、施設全体の運転スケジュールが階層下位の運転スケジュールを優先した下位グループ優先方式になっている場合には、合成スケジュール作成部３４は、各階層の運転スケジュールを、階層下位の運転スケジュールを優先しながら合成していき、最終的に合成した合成スケジュールを、対象機器となるＶＡＶ１５が属するグループの運転スケジュールとする。
【００６１】
ここで、上位グループ優先方式及び下位グループ優先方式のスケジュール設定、及び、それらの場合の各合成スケジュールの作成について、図１０から図１３を用いて説明する。
【００６２】
なお、図１０から図１３に示した運転スケジュールは、例えば、平日の運転スケジュールとなっている。この運転スケジュールにおいては、斜線で示した時間帯を、ＶＡＶ１５を運転させる時間帯とし、ドットで示した時間帯を、ＶＡＶ１５の運転を停止させる時間帯とし、空白となる時間帯を、ＶＡＶ１５の運転を制御しない時間帯（図では、ＮＵＬＬと記載）としている。
【００６３】
図１０は、上位グループ優先方式のスケジュール設定を示した図である。図１１は、上位グループ優先方式のスケジュール設定において合成スケジュールを作成する動作を示した図である。
【００６４】
図１０に示した上位グループ優先方式のスケジュール設定は、運転スケジュールの優先度の高さが、高い方から、施設、フロア、テナント、及び、部屋の順で設定するものである。そして、図１１に示すように、対象機器となるＶＡＶ１５（ＶＡＶ−５−４−５）が会議室Ａに関連付けられる場合には、合成スケジュール作成部３４は、施設の運転スケジュールに対して、フロアの運転スケジュール、テナントの運転スケジュール、及び、会議室Ａの運転スケジュールを順に合成していき、合成スケジュールを作成する。
【００６５】
スケジュール制御装置１０は、上位グループ優先方式のスケジュール設定を採用することにより、施設全体の省エネ化を図ることができる。
【００６６】
また、図１２は、下位グループ優先方式のスケジュール設定を示した図である。図１３は、下位グループ優先方式のスケジュール設定において合成スケジュールを作成する動作を示した図である。
【００６７】
図１２に示した下位グループ優先方式のスケジュール設定は、運転スケジュールの優先度の高さが、高い方から、部屋、テナント、フロア、及び、施設の順で設定するものである。そして、図１３に示すように、対象機器となるＶＡＶ１５（ＶＡＶ−５−４−５）が会議室Ａに関連付けられる場合には、合成スケジュール作成部３４は、会議室Ａの運転スケジュールに対して、テナントの運転スケジュール、フロアの運転スケジュール、及び、施設の運転スケジュールを順に合成していき、合成スケジュールを作成する。
【００６８】
スケジュール制御装置１０は、下位グループ優先方式のスケジュール設定を採用することにより、快適性を向上させることができる。
【００６９】
合成スケジュール記憶部３５は、合成スケジュール作成部３４によって作成された合成スケジュールを記憶する。
【００７０】
システム構成記憶部３６は、空調コントローラ１３の構成情報及びポイント情報、及び、ＶＡＶコントローラ１４の構成情報、タイプ情報、及び、ポイント情報を、予め記憶する。
【００７１】
合成スケジュール実行部３７は、合成スケジュール記憶部３５に記憶されている合成スケジュールを、対象機器となるＶＡＶ１５が属するグループの運転スケジュールとして、ＶＡＶコントローラ通信部３８を介して実行する。
【００７２】
具体的には、合成スケジュール実行部３７は、指定時刻になると、ポイント情報記憶部３２から、対象機器となるＶＡＶ１５のポイント情報を取得し、合成スケジュールで指定された操作内容を指令する。また、合成スケジュール実行部３７は、操作内容の指令先となるＶＡＶコントローラ１４のアドレス情報をシステム構成記憶部３６から取得する。
【００７３】
なお、実施の形態１に係るスケジュール制御装置１０は、それを構成する各部が、統合コントローラ１２と空調コントローラ１３とに分散して設けられる構成となっているが、統合コントローラ１２と空調コントローラ１３とのいずれかに設けられても構わない。例えば、実施の形態１に係るスケジュール制御装置１０は、合成スケジュール作成部３４を、統合コントローラ１２に設けても良いが、空調コントローラ１３に設けることにより、統合コントローラ１２が故障した場合であっても、合成スケジュールを作成することができる。
【００７４】
実施の形態１においては、スケジュール制御装置１０によるスケジュール設定を、空調の発停スケジュールを例に挙げて説明しているが、当該スケジュール制御装置１０は、空調の温度設定スケジュール、照明の点灯及び消灯スケジュール等に適用することもできる。即ち、実施の形態１に係るスケジュール制御装置１０は、ＶＡＶシステムに適用されるものであるが、ビル等の施設におけるファンコイルユニットシステム及び照明システムに適用することができる。
【００７５】
スケジュール制御装置１０は、統合コントローラ１２に、勤怠管理システム等の情報システムとのＩ／Ｆ機能を設け、その情報システムから、休日、就業日、及び、就業時間等に関する情報を取得し、それらの情報を、カレンダ、優先スケジュール、及び、週間スケジュールに自動展開させても構わない。
【００７６】
また、スケジュール制御装置１０は、統合コントローラ１２に、テナントまたは部屋ごとに利用時間を設定することができるタイマー機能を設け、ユーザがタイマー機能を利用して入力した利用時間を、カレンダ、優先スケジュール、及び、週間スケジュールに自動展開させても構わない。
【００７７】
以上より、実施の形態１に係るスケジュール制御装置１０は、ＶＡＶ１５の運転を制御する運転スケジュールの設定作業を短時間で行うことができる。
【００７８】
また、スケジュール制御装置１０は、運転スケジュールの設定作業を簡素にすることにより、施設管理者及びテナントユーザが自分でＶＡＶ１５の運転スケジュールを設定することができる。このとき、スケジュール制御装置１０は、部屋名及び運転スケジュールを音声で設定することができるスマート端末を備えることにより、施設管理者及びテナントユーザの利便性を向上させることができる。
【００７９】
更に、スケジュール制御装置１０は、エンジニアがＶＡＶ１５の運転スケジュールを設定する必要が無くなるため、現場のエンジニアリング工数を大幅に削減することができる。
【００８０】
なお、本願発明は、その発明の範囲内において、実施の形態の任意の構成要素の変形、もしくは、実施の形態の任意の構成要素の省略が可能である。
【符号の説明】
【００８１】
１０  スケジュール制御装置
１１  施設監視装置
１２  統合コントローラ
１３  空調コントローラ
１４  ＶＡＶコントローラ
１５  ＶＡＶ
２１  ＵＩ部
２２  グループ情報記憶部
２３  グループスケジュール記憶部
２４  スケジュール作成部
２５  システム構成記憶部
２６  対象機器スケジュール記憶部
２７  スケジュール展開部
２８  空調コントローラ通信部
３１  統合コントローラ通信部
３２  ポイント情報記憶部
３３  対象機器スケジュール記憶部
３４  合成スケジュール作成部
３５  合成スケジュール記憶部
３６  システム構成記憶部
３７  合成スケジュール実行部
３８  ＶＡＶコントローラ通信部
２３ａ  カレンダ記憶部
２３ｂ，２６ａ，３３ａ  優先スケジュール記憶部
２３ｃ  週間スケジュール記憶部
【図１】
2020176795.tif 000003
【図２】
2020176795.tif 000004
【図３】
2020176795.tif 000005
【図４】
2020176795.tif 000006
【図５】
2020176795.tif 000007
【図６】
2020176795.tif 000008
【図７】
2020176795.tif 000009
【図８】
2020176795.tif 000010
【図９】
2020176795.tif 000011
【図１０】
2020176795.tif 000012
【図１１】
2020176795.tif 000013
【図１２】
2020176795.tif 000014
【図１３】
2020176795.tif 000015